(57)【特許請求の範囲】
【請求項１】
天板の後部に立設した左右１対の支柱に、前面に小物収容用のポケットを設けた布状シートを張設するとともに、左右１対の支柱をもって上棚を支持し、かつ上棚の下端に、布状シートの上端部を着脱自在に接続したことを特徴とする小物入れ付き机。
【請求項２】
布状シートを、両支柱より着脱可能としてなる請求項１記載の小物入れ付き机。
【請求項３】
布状シートを、その左右両端部に設けた面ファスナをもって、支柱に取り付けてなる請求項１または２記載の小物入れ付き机。
【請求項４】
布状シートを織布とした請求項１〜３のいずれかに記載の小物入れ付き机。
【請求項５】
ポケットを透明な材質により形成した請求項１〜４のいずれかに記載の小物入れ付き机。
【発明の詳細な説明】
【０００１】
【発明の属する技術分野】
本発明は、小物の収納に適した収納ポケットを、天板の後上方に配設した机に関する。
【０００２】
【従来の技術】
文房具や書類の収納の便宜を図るため、机本体の後部上方に、棚板やキャビネット形式の上棚を設けた机が知られている。
【０００３】
【発明が解決しようとする課題】
しかし、これら従来の上棚は、サイズの大きい文房具や書類の収納には便利であったが、小寸の文房具等を収納する点からみれば不便であり、使い勝手が悪かった。
また、上棚を設けると、机全体が大型となり、構造が複雑となって、製造コストが高くなる。
【０００４】
本発明は、小寸の物品を、分類して収納することができ、構造が簡単で、使い勝手に優れた小物入れ付き机を提供することにある。
【０００５】
【課題を解決するための手段】
本発明によると、上記課題は次のようにして解決される。
(１) 天板の後部に立設した左右１対の支柱に、前面に小物収容用のポケットを設けた布状シートを張設するとともに、左右１対の支柱をもって上棚を支持し、かつ上棚の下端に、布状シートの上端部を着脱自在に接続する。
【０００６】
(２) 上記(１)項において、布状シートを、両支柱より着脱可能とする。
【０００７】
(３) 上記(１)または(２)項において、布状シートを、その左右両端部に設けた面ファスナをもって、支柱に取り付ける。
【０００８】
(４) 上記(１)〜(３)項のいずれかにおいて、布状シートを織布とする。
【０００９】
(５) 上記(１)〜(４)項のいずれかにおいて、ポケットを透明な材質により形成する。
【００１０】
【発明の実施の形態】
以下、図面を参照しつつ本発明を説明する。
図１は、本発明の小物入れ付き机の一実施形態を示す図であり、図２は、図１において、布状シートを取り外した状態を示す図である。
【００１１】
図示の実施形態における小物入れ付き机は、上棚(１)、天板(14)を有する机本体(２)及び布状シート(３)からなっている。上棚(１)は、上棚ユニット(４)及び左右の支柱(５)(６)からなっている。これら各支柱(５)(６)は、机本体(２)における天板(14)の後部の左右両側部に立設されている。
【００１２】
図１の実施形態においては、上棚ユニット(４)は、棚板(７)とその後端より垂下する後面板(８)とを備えており、棚板(７)は、各支柱(５)(６)の上端に接合されている。各支柱(５)(６)と後面板(８)との間には、布状シート(３)が挿通しうる程度の空隙が設けられている。
【００１３】
また、後面板(８)の前面には、布状シート(３)との接続部をなす複数の有頭ピン(または上向きフック等としてもよい)(９)が、左右方向に所要の間隔をもって突設されている。
【００１４】
布状シート(３)の前面には、同材質の複数の収納用ポケット(10)が設けられている。布状シート(３)としては、天然繊維や合成繊維から製造された織布や不織布等の布製のものが好適であるが、軟質のプラスチック製のもの等とすることもできる。
【００１５】
収納用ポケット(10)の形状、寸法及び数は、目的に応じて任意所望に定められる。
【００１６】
また、布状シート(３)と収納用ポケット(10)とのいずれか一方または両方を、透明な材質により形成すると、デザインだけでなく、収容物の視認性を向上させることができる。
【００１７】
この布状シート(３)は、１対の支柱(５)(６)の間に張設されるとともに、上端部が上棚(１)によって保持されている。保持箇所は特に限定されないが、両支柱(５)(６)のみで保持する形式や、上棚ユニット(４)で保持する形式や、これらの両者を併用する形式が挙げられる。また、保持状態としては、固定方式と着脱可能方式とが挙げられる。
【００１８】
布状シート(３)は、上棚ユニット(４)と天板(14)との間の空間の全面又は一部の面に配設される。
【００１９】
図１の実施形態においては、布状シート(３)の左右の両端部と、それより若干内側との各２箇所に、１対の公知の面ファスナ(12)(13)が帯状に取り付けられている。
【００２０】
布状シート(３)の上縁部には、後面板(８)との接続部をなす、有頭ピン(９)の数と同数の係合孔(11)が左右方向に所要の間隔をもって設けられている。
【００２１】
この布状シート(３)は、以下の手順で上棚(１)に取付けられる。
まず布状シート(３)の左右両端部を引張りながら、左右の支柱(５)(６)の前方から外側に回して、左右の両端部の面ファスナ(12)を、その内側の各面ファスナ(13)と接合させて、両支柱(５)(６)間に張設する。
【００２２】
次いで、布状シート(３)の各係合孔(11)を、後面板(８)の前面の各有頭ピン(９)に係合させる。
【００２３】
なお、布状シート(３)の上棚(１)への取付けは、他の形式でもよく、例えば布状シート(３)の上縁部と後面板(８)の前面下部とに、それぞれ１対の面ファスナを、水平方向に帯状に配置してもよい。
【００２４】
また、上棚(１)を両支柱(５)(６)から取り外して使用することもできる。この場合は、係合孔(11)を設ける必要はない。
【００２５】
【発明の効果】
請求項１記載の発明によると、小寸の文房具等を分類して収納可能であるので、従来の机と比較すると使い易く、しかも前方からの目隠しとなるので都合がよい。
【００２６】
また、天板上に左右１対の支柱を立設して、それらの間に布状シートを張設するだけでよいので、構造が簡単で、容易に組み立てることができ、従来の上棚を設けたものより、安価に製造することができる。
【００２７】
上棚を支持する左右１対の支柱を利用して、布状シートに張設できるので好都合であり、しかも上棚には、一般に書類等が重ねて載置されるため、忘れたり見失ったりするおそれがあるが、書類等のうち、重要なものを、布状シートのポケットに差し込んでおくことにより、常に目立たせて、忘れたりしないようにすることができ、その便益は大である。
【００２８】
さらに、布状シートの支持がより安定し、特に、その中だるみを防止することができる。
【００２９】
請求項２記載の発明によると、布状シートが破損したり、汚れたりしたときの交換が容易である。
【００３０】
請求項３記載の発明によると、布状シートに張力をかけて支柱に取り付けることができるので、ポケットにある程度の荷重が作用しても、布状シートのたるみを防止することができる。
【００３１】
請求項４記載の発明によると、ポケットや布状シートが汚れた場合に、洗濯して再使用できるので経済的である。
【００３２】
請求項５記載の発明によると、ポケットに収容した物品を外部から容易に視認できるので、物品をその都度取り出して確認する必要がない。
【図面の簡単な説明】
【図１】  本発明の一実施形態に係る机の斜視図である。
【図２】      図１において、シート状物を取外した状態の斜視図である。
【符号の説明】
(１)上棚
(２)机本体
(３)布状シート
(４)上棚ユニット
(５)(６)支柱
(７)棚板
(８)後面板
(９)有頭ピン(接続部)
(10)ポケット
(11)係合孔(接続部)
(12)(13)面ファスナ
(14)天板
【図１】
0004584476.tif 000002
【図２】
0004584476.tif 000003